(57)【特許請求の範囲】
【請求項１】
ユーザ機器デバイス（ＵＥ）のグループをスケジューリングする方法であって、前記方法は、
複数のＵＥをともにグループ化することにより、ＵＥグループを形成することと、
グループ識別子を前記ＵＥグループに割り当てることと、
前記ＵＥグループに前記グループ識別子を通知することと、
制御チャネルを前記グループ識別子でエンコードすることと、
前記制御チャネルを前記グループ識別子とともに前記ＵＥグループに伝送することと
を含み、
前記ＵＥグループの前記複数のＵＥのそれぞれは、単一のマクロ基地局に関連付けられた複数の低電力ノード（ＬＰＮ）を含むマクロセルに関連付けられており、前記複数のＬＰＮのそれぞれは、前記ＵＥグループのうちの１つ以上のＵＥに関連付けられている、方法。
【請求項２】
前記ＵＥグループの少なくとも１つのＵＥは、前記複数のＬＰＮのうちの２つ以上と前記マクロ基地局とに関連付けられている、請求項１に記載の方法。
【請求項３】
前記制御チャネルを伝送することを複数回繰り返すことをさらに含む、請求項１または請求項２に記載の方法。
【請求項４】
前記グループ識別子は、１つのＵＥ識別番号を含み、前記ＵＥグループのうちのすべてのＵＥは、同一のＵＥ識別番号を有する、請求項１または請求項２に記載の方法。
【請求項５】
前記グループ識別子は、グループ無線ネットワーク一時識別子（Ｇ−ＲＮＴＩ）グループ識別子を含む、請求項１または請求項２に記載の方法。
【請求項６】
前記制御チャネルを伝送することは、共通の制御コマンドを前記ＵＥグループの各ＵＥに伝送することを含む、請求項１または請求項２に記載の方法。
【請求項７】
前記複数のＬＰＮは、同一のセル識別を共有する、請求項６に記載の方法。
【請求項８】
前記ＵＥグループの各ＵＥは、前記複数のＬＰＮのうちの関連付けられたＬＰＮによって処理され、前記ＵＥグループの２つのＵＥは、前記複数のＬＰＮのうちの同一のものによって処理されず、前記マクロ基地局および前記複数のＬＰＮは、同一のセル識別を共有する、請求項６に記載の方法。
【請求項９】
前記伝送することは、ブロードキャストすることを含み、前記複数のＵＥは、同一のリソース上にスケジューリングされている複数のＵＥである、請求項１または請求項２に記載の方法。
【請求項１０】
前記同一のリソース上にスケジューリングされている前記複数のＵＥは、前記複数のＵＥの位置の場所推定に基づいて決定され、前記制御チャネルを伝送することは、共通の制御コマンドを前記ＵＥグループの各ＵＥに伝送することを含む、請求項９に記載の方法。
【請求項１１】
前記マクロセルは、ＬＴＥシステムのマクロセルであり、前記マクロ基地局および前記複数のＬＰＮは、同一のセル識別を共有する、請求項１または請求項２に記載の方法。
【請求項１２】
前記制御チャネルを伝送することは、アップリンクスケジュールグラントを前記複数のＵＥに配信することを含み、前記方法は、前記制御チャネルを伝送することに基づいて、アップリンク伝送のための前記複数のＵＥの伝送をスケジューリングすることをさらに含む、請求項１または請求項２に記載の方法。
【請求項１３】
前記伝送することの後、
さらなる複数のＵＥをともにさらにグループ化することにより、さらなるＵＥグループを形成することと、
さらなるグループ識別子を前記さらなるＵＥグループにさらに割り当てることと、
前記さらなるＵＥグループに前記さらなるグループ識別子を通知することと、
さらなる制御チャネルを前記さらなるグループ識別子でエンコードすることと、
前記さらなる制御チャネルを前記さらなるグループ識別子とともに前記さらなるＵＥグループにさらに伝送することと
をさらに含む、請求項１または請求項２に記載の方法。
【請求項１４】
前記さらなるＵＥグループは、前記ＵＥグループと異なる、請求項１３に記載の方法。
【請求項１５】
前記複数のＵＥは、複数のＵＥの集合の一部であり、前記さらにグループ化することは、前記複数のＵＥの集合を再グループ化することにより、前記さらなるＵＥグループを形成することを含む、請求項１３に記載の方法。
【請求項１６】
コンピュータプログラムコードでエンコードされている非一過性有形コンピュータ読み取り可能な記憶媒体であって、前記コンピュータプログラムコードがプロセッサによって実行されると、前記プロセッサは、単一のマクロ基地局に関連付けられた複数の低電力ノード（ＬＰＮ）を含む電気通信システム内のユーザ機器デバイス（ＵＥ）のグループをスケジューリングする方法を実行し、前記方法は、
複数のＵＥをともにグループ化することにより、ＵＥグループを形成することと、
グループ識別子を前記ＵＥグループに割り当てることと、
前記ＵＥグループに前記グループ識別子を通知することと、
制御チャネルを前記グループ識別子でエンコードすることと、
前記制御チャネルを前記グループ識別子とともに前記ＵＥグループに伝送することと
を含み、
前記ＵＥグループの前記複数のＵＥのそれぞれは、前記単一のマクロ基地局に関連付けられた前記複数の低電力ノード（ＬＰＮ）を含むマクロセルに関連付けられており、前記複数のＬＰＮのそれぞれは、前記ＵＥグループのうちの１つ以上のＵＥに関連付けられている、非一過性有形コンピュータ読み取り可能な記憶媒体。
【請求項１７】
前記ＵＥグループの少なくとも１つのＵＥは、前記複数のＬＰＮのうちの２つ以上と前記マクロ基地局とに関連付けられている、請求項１６に記載の非一過性有形コンピュータ読み取り可能な記憶媒体。
【請求項１８】
前記方法は、前記制御チャネルを伝送することを複数回繰り返すことをさらに含む、請求項１６または請求項１７に記載の非一過性有形コンピュータ読み取り可能な記憶媒体。
【請求項１９】
前記グループ識別子は、グループ無線ネットワーク一時識別子（Ｇ−ＲＮＴＩ）グループ識別子である、請求項１６または請求項１７に記載の非一過性有形コンピュータ読み取り可能な記憶媒体。
【請求項２０】
前記複数のＬＰＮは、同一のセル識別を共有する、請求項１６または請求項１７に記載の非一過性有形コンピュータ読み取り可能な記憶媒体。
【請求項２１】
前記ＵＥグループの各ＵＥは、前記複数のＬＰＮのうちの異なる１つに関連付けられており、前記マクロ基地局および前記複数のＬＰＮは、同一のセル識別を共有する、請求項１６または請求項１７に記載の非一過性有形コンピュータ読み取り可能な記憶媒体。
【請求項２２】
前記複数のＵＥは、前記複数のＵＥの位置の場所推定に基づいて、同一のリソース上にスケジューリングされている複数のＵＥである、請求項２１に記載の非一過性有形コンピュータ読み取り可能な記憶媒体。
【請求項２３】
前記方法は、
さらなる複数のＵＥをともにさらにグループ化することにより、さらなるＵＥグループを形成することと、
さらなるグループ識別子を前記さらなるＵＥグループにさらに割り当てることと、
前記さらなるＵＥグループに前記さらなるグループ識別子を通知することと、
さらなる制御チャネルを前記さらなるグループ識別子でエンコードすることと、
前記さらなる制御チャネルを前記さらなるグループ識別子とともに前記さらなるＵＥグループにさらに伝送することと
をさらに含む、請求項１６または請求項１７に記載の非一過性有形コンピュータ読み取り可能な記憶媒体。
【請求項２４】
前記方法は、前記ＵＥグループの前記複数のＵＥのそれぞれが前記複数のＬＰＮのうちの２つ以上によって処理されることを含み、前記マクロ基地局および前記複数のＬＰＮは、同一のセル識別を共有し、前記さらなる制御チャネルをさらに伝送することは、さらなる共通の制御コマンドを前記ＵＥグループの各ＵＥにさらに伝送することを含む、請求項２３に記載の非一過性有形コンピュータ読み取り可能な記憶媒体。
【請求項２５】
前記方法は、前記制御チャネルを伝送することが、アップリンクスケジュールグラントを前記複数のＵＥに配信することを含むことを含み、前記方法は、前記制御チャネルを伝送することに基づいて、アップリンク伝送のための前記複数のＵＥの伝送をスケジューリングすることをさらに含む、請求項１６または請求項１７に記載の非一過性有形コンピュータ読み取り可能な記憶媒体。
【請求項２６】
ユーザ機器デバイス（ＵＥ）のグループをスケジューリングする方法であって、前記方法は、
複数のＵＥをともにグループ化することにより、ＵＥグループを形成することと、
グループ識別子を前記ＵＥグループに割り当てることと、
前記ＵＥグループに前記グループ識別子を通知することと、
制御チャネルを前記グループ識別子でエンコードすることと、
前記制御チャネルを前記グループ識別子とともに前記ＵＥグループに伝送することと
を含み、
前記ＵＥグループの前記複数のＵＥのそれぞれは、マクロ基地局に関連付けられた複数の低電力ノード（ＬＰＮ）を含むマクロセルに関連付けられており、前記複数のＬＰＮのそれぞれは、前記ＵＥグループおよびさらなるＵＥグループに関連付けられている、方法。
【請求項２７】
前記ＵＥグループの少なくとも１つのＵＥは、前記複数のＬＰＮのうちの２つ以上のＬＰＮに関連付けられている、請求項２６に記載の方法。
【請求項２８】
前記制御チャネルを伝送することは、前記複数のＵＥが共通のリソース上にスケジューリングされるように、アップリンクスケジュールグラントを前記複数のＵＥに配信することを含む、請求項２６に記載の方法。
【請求項２９】
前記共通のリソースは、共通の物理リソースブロック（ＰＲＢ）を含む、請求項２８に記載の方法。
【請求項３０】
前記制御チャネルを伝送することは、アップリンクスケジュールグラントを前記複数のＵＥに配信することを含み、前記方法は、前記制御チャネルを伝送することに基づいて、アップリンク伝送のための前記複数のＵＥの伝送をスケジューリングすることをさらに含む、請求項２６に記載の方法。
【請求項３１】
前記ＵＥグループの各ＵＥは、前記複数のＬＰＮのうちの関連付けられたＬＰＮによって処理され、前記ＵＥグループの２つのＵＥは、前記複数のＬＰＮのうちの同一のものによって処理されず、前記マクロ基地局および前記複数のＬＰＮは、同一のセル識別を共有する、請求項２６に記載の方法。
【発明の詳細な説明】
【技術分野】
【０００１】
（技術分野）
本発明は、概して、セルラー電気通信システムに関し、いくつかの用途では、複数の低電力ノードがマクロ基地局の有効範囲内で展開される、異種ネットワークに関する。
【背景技術】
【０００２】
（背景）
セルラー通信システムは、音声サービスだけではなく、また、モバイルブロードバンドサービスも提供可能である。携帯電話によってサポートされる用途の数が、増加し続け、より多量のデータ消費をもたらすにつれて、モバイルブロードバンドデータサービスに対するニーズもまた、増加する。これは、電気通信オペレータに、可能である場合、データ処理量を改善させることを要求する。
【０００３】
２地点間リンクのスペクトル効率は、すでにその理論的限界に近づきつつあるため、データ処理量を増加させるための方法の１つは、大きいセルをますますより小さいセルに分割することである。しかしながら、セルが、相互により近接すると、隣接セル干渉が、より深刻となり、セル分割利得が飽和する。さらに、今日、オペレータにとって、基地局を設置するための新しい用地を取得することがますます困難となっており、関連付けられたコストもまた、増加している。したがって、セル分割は、ブロードバンドサービス増加のための需要を提供するために必要な需要の全てを充足することができない。
【０００４】
最近、新しいタイプのネットワーク展開である、いわゆるＨｅｔＮｅｔ（Ｈｅｔｅｒｏｇｅｎｏｕｓ  Ｎｅｔｗｏｒｋ）が、提案されており、業界において多くの注目を集め、努力が成されている。ＨｅｔＮｅｔでは、複数の低電力ノード（ＬＰＮ）から成る別の層が、既存のマクロ基地局の有効範囲上に追加される。本展開のいくつかの実施例では、より優れた干渉管理およびリソース配分等を有するために、マクロ基地局は、マスタとして作用し、低電力ノード（ＬＰＮ）は、スレーブとして作用する。しかしながら、他の展開では、ＬＰＮは、マクロ基地局と同じように作用し、すなわち、ＬＰＮは、マクロ基地局に役立たない。
【０００５】
例えば、ロング・ターム・エボリューション（ＬＴＥ）ネットワーク内における、展開選択肢の１つは、下層低電力ノードがその独自のセルＩＤ（識別）を有していない展開である。代わりに、低電力ノードは全て、同一セルＩＤを本展開内のマクロ基地局と共有する。
【０００６】
ＬＴＥネットワークでは、セル特有基準信号（ＣＲＳ）の位置が、セルＩＤから推測される。ＣＲＳは、マクロノードから伝送される。ＬＰＮは、ＣＲＳを伝送し得る場合もあり、またはそうではない場合もある。これらおよび他の従来の展開は、以下にさらに詳細に論じられるように、いくつかの不利点または問題に悩まされる。
【０００７】
一般に、ＬＴＥネットワークは、制御チャネルをネットワークを介して通信するユーザ機器（ＵＥ）に送信する。制御チャネルは、中心点から送信される。制御チャネルは、ユーザデータを搬送しない。代わりに、制御チャネルは、ＵＥとの通信を構成するために使用される。ＵＥは、次いで、いくつかの制御チャネルをデコードする。ＵＥは、デコードされた制御チャネルがそれ専用である場合、巡回冗長検査（ＣＲＣ）または類似コードが、ＲＮＴＩ（無線ネットワーク一時識別子）または他の識別子等の一式のＵＥ識別番号のうちの１つと一致するかを判定する。
【０００８】
本制御チャネル機構は、アップリンクスケジュールグラントをＵＥに配信することを含む、多くの目的のために使用されることができる。
【０００９】
これらの制御チャネルは、ユニキャストまたはブロードキャストのいずれかであることができる。ユニキャスト制御チャネルでは、ＵＥ識別番号は、一意である。ＵＥは、複数の一意のＵＥ識別番号を有してもよい。特定の識別番号の使用は、あるタイプのスケジューリング、例えば、動的または半持続的スケジューリングを示すために使用され得る（ＳＰＳ）。ブロードキャスト制御チャネルでは、セル内の全ＵＥは、ＵＥ識別番号を共有する、すなわち、セル内の全ＵＥは、同一ＵＥ識別番号を有する。これは、システム情報を全ＵＥに配信するために行われる。ＬＴＥネットワークでは、例えば、セル内の全ＵＥは、同一システム情報無線ネットワーク一時識別子（ＳＩ−ＲＮＴＩ）を共有する。
【００１０】
ＬＴＥアップリンク伝送の間に生じ得る問題の１つが、以下に説明される。しかしながら、同一または類似問題はまた、ＬＴＥダウンリンク伝送、またはさらに、他のネットワークおよび他の通信規格に準拠するアップリンクまたはダウンリンク伝送に対しても存在する。
【００１１】
ＨｅｔＮｅｔｓの導入に伴って、利用可能な無線リソースは、それらをＬＰＮ間で共有することによって、複数回、再使用されることができる。図１は、マクロ基地局１およびＬＰＮ５を含む、セルの実施例を示す。図示される実施例は、マクロ基地局１およびＬＰＮ５が同一セルＩＤを共有する、実施例である。図示される実施例では、３つのＬＰＮ５が、同一マクロセル７下に展開され、図示される実施例では、各ＬＰＮ５は、ユーザ機器ＵＥ９と関連付けられる。各ＬＰＮ５、すなわち、ＬＰＮ１、ＬＰＮ２、およびＬＰＮ３は、関連付けられたＬＰＮアップリンク有効範囲領域１７を有し、関連付けられたＬＰＮアップリンク有効範囲領域１７は、マクロセル７内で相互から分離される。１つのＵＥ９が、図１内のＬＰＮ有効範囲領域１７のそれぞれに図示されるが、多数のＵＥが、典型的には、各ＬＰＮ有効範囲領域１７と関連付けられる。ＵＥ９のアップリンクＰＵＳＣＨ（物理アップリンク共有制御チャネル）伝送１３は、マクロ基地局１ではなく、最近傍ＬＰＮ５のみに到達する必要があるため、低電力で搬送されることができる。このように、ＬＰＮ有効範囲領域１７のアップリンクＰＵＳＣＨ伝送１３は、したがって、他のＵＥ９から他のＬＰＮ有効範囲領域１７内の他のＬＰＮ５への他のＵＥ伝送等の他のＵＥ伝送に干渉しない。故に、アップリンク伝送は、同一物理リソース上で搬送されることができ、マクロセルのみがそのエリアを網羅することと比較して、より多くのＵＥが、同時にサービス提供されることができる。「同一物理リソース」とは、同一物理リソースブロック（ＰＲＢ）が、アップリンク伝送のために、いくつかのＵＥによって使用されることができることを意味する。ＵＥが、そのアップリンクが相互に干渉しないように位置する場合、ＵＥは、同一ＰＲＢを使用して伝送することができる。本技法は、多くの場合、空間分割多重アクセス（ＳＤＭＡ）またはエリア分割と称される。
【００１２】
より多くのＵＥ９が、同時にサービス提供されるとき、より多くの制御信号伝達が、これらのＵＥの伝送をスケジューリングするために必要とされる。例えば、ＬＴＥシステム内のアップリンクスケジューリング情報が、ダウンリンク制御情報（ＤＣＩ）とともにＵＥに伝送される。ＬＴＥでは、ＤＣＩ信号１９は、物理ダウンリンク制御チャネル（ＰＤＣＣＨ）（例えば、３ＧＰＰリリース８およびそれ以降）または拡張ＰＤＣＣＨ（ｅＰＤＣＣＨ）（例えば、３ＧＰＰリリース１１）いずれか上で送信される。ＰＤＣＣＨ／ｅＰＤＣＣＨリソースのために利用可能なリソースは、制限されており、最新の３ＧＰＰリリースでは拡張されていない。これは、多数のＵＥが同時にサービス提供される必要があるとき、主要なボトルネックとなる。典型的には、マクロセル７内に実装される、スケジューラは、どのＵＥ９が物理リソース上にスケジューリングされるべきかと、どの変調符号化方式（ＭＣＳ）を各ＵＥ９が使用する必要があるかを決定する。本情報は、次いで、ダウンリンク制御情報（ＤＣＩ）信号１９として、対応するＵＥ９に送信される。ＤＣＩ信号１９は、ＵＬグラント、例えば、図１に示されるようなＵＬグラント１（ＤＣＩ）を含む。ＵＬグラントは、どのＰＲＢ（物理リソースブロック）が、アップリンク伝送のために、関連付けられたＵＥによって使用されるべきかを識別する。
【００１３】
前述のネットワーク等のネットワーク内で生じ得る問題の一実施例は、以下の通りである。
【００１４】
ＤＣＩ信号１９等のＤＣＩは、１つまたはいくつかの制御チャネル要素（ＣＣＥ）から成る。ＤＣＩの長さおよび無線リンク品質に応じて、１、２、４、または８つのＣＣＥが、いくつかの実施例では、１つのＤＣＩを形成するために使用される。総利用可能ＣＣＥ数は、制限され、システム帯域幅およびサブフレーム内のＰＤＣＣＨのために使用されるＯＦＤＭシンボルの数に依存する。多くの実施例では、サブフレームあたり１〜３のＯＦＤＭシンボルが存在する。ＯＦＤＭ（直交周波数分割多重）は、複数のキャリア周波数上のデジタルデータをエンコードする方法であり、ＯＦＤＭシンボルは、１ビットまたは数ビットのデータを表す、または伝達することができる。
【００１５】
システムの帯域幅が１０ＭＨｚであるとき等、いくつかの実施例では、９、２６、または４２のＣＣＥが、１、２、または３つのＯＦＤＭシンボルがＰＤＣＣＨ空間のために使用されるかどうかに応じて、利用可能になってもよい。ＯＦＤＭシンボルの数は、データ伝送のために、リソースを奪取するため、ＰＤＣＣＨに対して制限され得る。例えば、４つのＣＣＥが１つのＤＣＩを形成するために必要とされ、２６のＣＣＥのみ、利用可能である場合、６つのＤＣＩのみ、１つのサブフレームの間に送信されることができる。加えて、電力制御のための別個のＤＣＩ、すなわち、ＤＬ（ダウンリンク）およびＵＬ（アップリンク）スケジューリングが存在する。制御チャネル機構は、アップリンク（ＵＬ）スケジューリンググラントをＤＣＩ信号１９を介してＵＥに配信する。したがって、これらの条件下、２〜３つのみのＵＥが、１サブフレームの間、アップリンク伝送のためにスケジューリングされることができ、アップリンク伝送のために、より多くのＵＥをスケジューリングすることが望ましいであろう。
【００１６】
本開示は、そのような欠点に対処する。
【発明の概要】
【課題を解決するための手段】
【００１７】
（要約）
一側面によると、提供されるのは、ＵＥのグループをスケジューリングする方法である。本方法は、複数のＵＥをともにグループ化し、それによって、ＵＥグループを形成することと、グループ識別子をＵＥグループに割り当てることと、ＵＥグループにグループ識別子を通知することと、制御チャネルをグループ識別子でエンコードすることと、制御チャネルをグループ識別子とともにＵＥグループに伝送することとを含む。
【００１８】
別の側面によると、提供されるのは、コンピュータプログラムコードでエンコードされた非一過性有形コンピュータ可読記憶媒体であり、コンピュータプログラムコードが、プロセッサによって実行されると、プロセッサは、電気通信システム内のＵＥのグループをスケジューリングするための方法を行う。本方法は、複数のＵＥをともにグループ化し、それによって、ＵＥグループを形成することと、グループ識別子をＵＥグループに割り当てることと、ＵＥグループにグループ識別子を通知することと、制御チャネルをグループ識別子でエンコードすることと、制御チャネルをグループ識別子とともにＵＥグループに伝送することとを含む。
【００１９】
別の側面によると、提供されるのは、電気通信システムであり、マクロ基地局および該マクロ基地局と関連付けられた複数のＬＰＮ（低電力ノード）と、ＵＥのグループと、ＵＥのグループと関連付けられたグループ識別子と、グループ識別子でエンコードされた制御チャネルとを備え、マクロ基地局および複数のＬＰＮのうちの少なくとも１つは、制御チャネルをグループ識別子とともにＵＥのグループに伝送するように構成される、システムである。
本願明細書は、例えば、以下の項目も提供する。
（項目１）
ＵＥのグループをスケジューリングする方法であって、前記方法は、
複数のＵＥ（ユーザ機器）をともにグループ化し、それによって、ＵＥグループを形成することと、
グループ識別子を前記ＵＥグループに割り当てることと、
前記ＵＥグループに前記グループ識別子を通知することと、
制御チャネルを前記グループ識別子でエンコードすることと、
前記制御チャネルを前記グループ識別子とともに前記ＵＥグループに伝送することと
を含む、方法。
（項目２）
前記制御チャネルを伝送することを複数回繰り返すことをさらに含む、項目１に記載の方法。
（項目３）
前記グループ識別子は、前記ＵＥグループのうちのＵＥの全てが同一ＵＥ識別番号を有することを含む、項目１に記載の方法。
（項目４）
前記ＵＥグループのうちのＵＥのそれぞれは、単一マクロ基地局を含むマクロセルと関連付けられ、前記グループ識別子は、Ｇ−ＲＮＴＩ（グループ無線ネットワーク一時識別子）グループ識別子を備える、項目１に記載の方法。
（項目５）
前記マクロセルはさらに、前記単一マクロ基地局と関連付けられた複数のＬＰＮ（低電力ノード）を備え、前記制御チャネルを伝送することは、共通制御コマンドを前記ＵＥグループのうちの各ＵＥに伝送することを含む、項目４に記載の方法。
（項目６）
前記ＵＥグループのうちの少なくとも１つのＵＥは、前記ＬＰＮのうちの２つ以上と関連付けられ、前記マクロ基地局および前記複数のＬＰＮは、同一セル識別を共有する、項目５に記載の方法。
（項目７）
前記ＵＥグループのうちのＵＥは、前記ＬＰＮのうちの２つ以上と関連付けられ、前記マクロ基地局および前記複数のＬＰＮは、同一セル識別を共有する、項目５に記載の方法。
（項目８）
前記ＵＥグループのうちの各ＵＥは、前記複数のＬＰＮのうちの関連付けられたＬＰＮによって処理され、前記ＵＥグループのうちの２つのＵＥは、前記ＬＰＮのうちの同一の１つによって処理されず、前記マクロ基地局および前記複数のＬＰＮは、同一セル識別を共有する、項目５に記載の方法。
（項目９）
前記伝送することは、ブロードキャストすることを含み、前記複数のＵＥは、同一リソース上にスケジューリングされる複数のＵＥである、項目１に記載の方法。
（項目１０）
前記同一リソース上にスケジューリングされる前記複数のＵＥは、ＵＥ位置の場所推定に基づいて判定され、前記制御チャネルを伝送することは、共通制御コマンドを前記ＵＥグループのうちの各ＵＥに伝送することを含む、項目９に記載の方法。
（項目１１）
前記ＵＥグループのうちのＵＥのそれぞれは、単一マクロ基地局および複数のＬＰＮ（低電力ノード）を含む、ＬＴＥシステムのマクロセルと関連付けられ、前記ＵＥグループのうちの少なくとも１つのＵＥは、前記ＬＰＮのうちの２つ以上と関連付けられ、前記マクロ基地局および前記複数のＬＰＮは、同一セル識別を共有する、項目１に記載の方法。
（項目１２）
前記制御チャネルを伝送することは、アップリンクスケジュールグラントを前記ＵＥに配信することを含み、前記方法は、前記制御チャネルを伝送することに基づいて、アップリンク伝送のための前記ＵＥの伝送をスケジューリングすることをさらに含む、項目１に記載の方法。
（項目１３）
前記伝送することの後、
さらなる複数のＵＥをともにさらにグループ化し、それによって、さらなるＵＥグループを形成することと、
さらなるグループ識別子を前記さらなるＵＥグループにさらに割り当てることと、
前記さらなるＵＥグループに前記さらなるグループ識別子を通知することと、
さらなる制御チャネルを前記さらなるグループ識別子でエンコードすることと、
前記さらなる制御チャネルを前記さらなるグループ識別子とともに前記さらなるＵＥグループにさらに伝送することと
をさらに含む、項目１に記載の方法。
（項目１４）
前記さらなるＵＥグループは、前記ＵＥグループと異なる、項目１３に記載の方法。
（項目１５）
前記複数のＵＥは、ＵＥの集合の一部であり、前記さらにグループ化することは、前記ＵＥの集合を再グループ化し、前記さらなるＵＥグループを形成することを含む、項目１３に記載の方法。
（項目１６）
コンピュータプログラムコードでエンコードされている非一過性有形コンピュータ可読記憶媒体であって、前記コンピュータプログラムコードがプロセッサによって実行されると、前記プロセッサは、マクロ基地局と、前記マクロ基地局と関連付けられた複数のＬＰＮ（低電力ノード）とを含む電気通信システム内のＵＥのグループをスケジューリングする方法を行い、前記方法は、
複数のＵＥをともにグループ化し、それによって、ＵＥグループを形成することと、
グループ識別子を前記ＵＥグループに割り当てることと、
前記ＵＥグループに前記グループ識別子を通知することと、
制御チャネルを前記グループ識別子でエンコードすることと、
前記制御チャネルを前記グループ識別子とともに前記ＵＥグループに伝送することと
を含む、非一過性有形コンピュータ可読記憶媒体。
（項目１７）
前記方法はさらに、前記制御チャネルを伝送することを複数回繰り返すことを含む、項目１６に記載の非一過性有形コンピュータ可読記憶媒体。
（項目１８）
前記方法は、前記グループ識別子がＧ−ＲＮＴＩ（グループ無線ネットワーク一時識別子）グループ識別子であることを含む、項目１６に記載の非一過性有形コンピュータ可読記憶媒体。
（項目１９）
前記ＵＥグループのうちのＵＥは、前記ＬＰＮのうちの２つ以上によって処理され、前記マクロ基地局および前記複数のＬＰＮは、同一セル識別を共有する、項目１６に記載の非一過性有形コンピュータ可読記憶媒体。
（項目２０）
前記ＵＥグループのうちの各ＵＥは、前記ＬＰＮのうちの異なる１つと関連付けられ、前記マクロ基地局および前記複数のＬＰＮは、同一セル識別を共有する、項目１６に記載の非一過性有形コンピュータ可読記憶媒体。
（項目２１）
前記複数のＵＥは、ＵＥ位置の場所推定に基づいて、同一リソース上にスケジューリングされる複数のＵＥである、項目２０に記載の非一過性有形コンピュータ可読記憶媒体。
（項目２２）
前記方法はさらに、
さらなる複数のＵＥをともにさらにグループ化し、それによって、さらなるＵＥグループを形成することと、
さらなるグループ識別子を前記さらなるＵＥグループにさらに割り当てることと、
前記さらなるＵＥグループに前記さらなるグループ識別子を通知することと、
さらなる制御チャネルを前記さらなるグループ識別子でエンコードすることと、
前記さらなる制御チャネルを前記さらなるグループ識別子とともに前記さらなるＵＥグループにさらに伝送することと
を含む、項目１６に記載の非一過性有形コンピュータ可読記憶媒体。
（項目２３）
前記方法は、前記ＵＥグループのうちのＵＥが前記ＬＰＮのうちの２つ以上によって処理されることを含み、前記マクロ基地局および前記複数のＬＰＮは、同一セル識別を共有し、前記さらなる制御チャネルをさらに伝送することは、共通制御コマンドを前記ＵＥグループのうちの各ＵＥに伝送することを含む、項目２２に記載の非一過性有形コンピュータ可読記憶媒体。
（項目２４）
前記方法は、前記制御チャネルを伝送することが、アップリンクスケジュールグラントを前記ＵＥに配信することを含むことを含み、前記制御チャネルを伝送することに基づいて、アップリンク伝送のための前記ＵＥの伝送をスケジューリングすることをさらに含む、項目１６に記載の非一過性有形コンピュータ可読記憶媒体。
（項目２５）
電気通信システムであって、前記電気通信システムは、
マクロ基地局、および前記マクロ基地局と関連付けられた複数のＬＰＮ（低電力ノード）と、
ＵＥのグループと、
前記ＵＥのグループと関連付けられたグループ識別子と、
前記グループ識別子でエンコードされた共通制御チャネルと
を備え、
前記マクロ基地局および前記複数のＬＰＮのうちの少なくとも１つは、前記共通制御チャネルを前記グループ識別子とともに前記ＵＥのグループに伝送するように構成されている、電気通信システム。
（項目２６）
前記マクロ基地局と前記複数のＬＰＮのうちの前記ＬＰＮのそれぞれとは、同一セル識別を有する、項目２５に記載の電気通信システム。
（項目２７）
前記マクロ基地局は、前記共通制御チャネルを前記グループ識別子とともに前記ＵＥのグループに伝送するように構成されている、項目２５に記載の電気通信システム。
（項目２８）
前記複数のＬＰＮのうちの少なくとも１つのＬＰＮは、前記共通制御チャネルを前記グループ識別子とともに前記ＵＥのグループに伝送するように構成されている、項目２５に記載の電気通信システム。
（項目２９）
前記ＵＥのグループのうちのＵＥは、前記ＬＰＮのうちの２つ以上と関連付けられ、前記マクロ基地局および前記複数のＬＰＮは、同一セル識別を共有する、項目２５に記載の電気通信システム。
【００２０】
本開示は、付随の図面と併せて熟読されることによって、以下の発明を実施するための形態から最も深く理解される。慣例に従って、図面の種々の特徴は、必ずしも、正確な縮尺ではないことを強調されたい。対照的に、種々の特徴の寸法は、随意に、明確にするために拡大または縮小され得る。同一番号は、明細書および図面全体を通して、同一特徴を示す。
【図面の簡単な説明】
【００２１】
【図１】図１は、先行技術による、従来のセルラー電気通信システムを示す。
【図２】図２は、本開示の種々の実施形態による、マクロ基地局の有効範囲内に展開され、グループ化されたＵＥを含む、複数の低電力ノードを伴う異種ネットワークのセルラー電気通信システムを示す。
【図３】図３は、本開示の種々の他の実施形態による、マクロ基地局の有効範囲内に展開され、グループ化されたＵＥを含む、複数の低電力ノードを伴う異種ネットワークのセルラー電気通信システムを示す。
【図４】図４は、本開示の種々の実施形態による方法を図示する、フロー図である。
【発明を実施するための形態】
【００２２】
（詳細な説明）
以下の説明は、当業者が、本発明を作製および使用することを可能にするために提示される。具体的デバイス、技法、および用途の説明は、実施例としてのみ提供される。本明細書に説明される実施例の種々の修正は、当業者に容易に明白となり、本明細書に定義される一般原理は、本発明の精神および範囲から逸脱することなく、他の実施例および用途にも適用されてもよい。したがって、本発明は、本明細書に説明および図示される具体的実施例および実施形態に限定されるように意図されない。
【００２３】
本開示は、ユーザ機器ＵＥグループ化およびＵＥグループへの共通制御チャネル信号伝達のためのシステムおよび方法を提供する。グループ化は、単一制御チャネルが、ＵＥのグループに配信されることを可能にし、要求される別個の伝送の数を制限し、１つのサブフレームの間、アップリンク（ＵＬ）伝送のために、多数のＵＥをスケジューリングすることを可能にする。本開示はまた、コンピュータまたはプロセッサが命令を実行すると、コンピュータまたはプロセッサが、本明細書に説明されるような本開示の方法を実施するような命令を含む、有形非一過性コンピュータ可読記憶媒体を提供する。
【００２４】
本開示は、限定ではないが、１０ＭＨｚ等、種々の帯域幅で動作する、種々の電気通信システムを対象とする。他の帯域幅も、他の実施形態では使用される。種々の数のＯＦＤＭシンボルが、使用されてもよい。本開示は、種々のセルラー電気通信システムと関連付けられた携帯電話および他のモバイルデバイス等、種々のＵＥ（ユーザ機器）を対象とする。
【００２５】
いくつかの実施形態では、ＵＥは、サブセットにグループ化される。種々の実施形態では、ＵＥ識別（「ｉｄ」）識別番号またはＵＥサブセット識別が、ＵＥのサブセット内の各ＵＥに割り当てられる。故に、単一共通制御チャネルは、ＵＥのこのサブセット（すなわち、グループ）内の各ＵＥに伝送されることができる。制御チャネルは、Ｇ−ＲＮＴＩ（グループ無線ネットワーク一時識別子）等のグループ識別子を含む。制御チャネルの伝送は、ＵＥへのアップリンクスケジュールグラントの配信を含む。いくつかの実施形態では、ユーザデータを搬送しない、制御チャネルの制御情報は、マルチキャスト伝送を介して、ＵＥに伝送される。加えて、種々の他の実施形態では、あるグループに属するＵＥは、新しいマルチキャストのために、動的に再配列される、すなわち、再グループ化される。種々の実施形態では、ＵＥの伝送のスケジューリングは、制御チャネルの伝送に基づく。
【００２６】
本開示の種々の実施形態では、スーパーセル構成が、図２におけるように提供される。同一特徴は、本開示全体を通して同一参照番号によって識別される。図２におけるように提供されるスーパーセル構成では、１つのマクロ基地局１およびいくつかの低電力ノードＬＰＮ５は、同一セルＩＤを共有する。各ＬＰＮ５は、図２の構成内のマクロセル７内に関連付けられたＬＰＮアップリンク有効範囲領域１７を有する。いくつかの実施形態では（図３参照）、１つ以上のＬＰＮアップリンク有効範囲領域１７が、マクロセル７内で重複する。図２では、ＵＥ４１は、ＵＥグループ２９にグループ化される。図２のスーパーセル構成と関連付けられるのは、複数のＵＥである。各ＵＥグループ２９は、複数のＵＥのうちの多数のＵＥ４１のグループ化を含む。各ＵＥグループ２９のうちのＵＥ４１は、アップリンク伝送を複数のＬＰＮ５に提供してもよく、すなわち、特定のＵＥグループ２９のうちの１つ以上のＵＥ４１は１つのＬＰＮ５によって処理される一方、同一ＵＥグループ２９のうちの別の１つ以上のＵＥ４１は、別のＬＰＮ５によって処理される。３つのＬＰＮ５が、図２に示されるが、種々の実施形態では、マクロセル７は、種々の他の数のＬＰＮ５を含む。いくつかの実施形態では、マクロセル７内に存在するＬＰＮ５の数は、いくつかの実施形態では、ＵＥグループ２９のうちの各ＵＥ４１が、異なるノード、すなわち、異なるＬＰＮ５と関連付けられるため、ＵＥグループ内のＵＥの数を判定する。他の実施形態では、ＵＥグループ２９は、同一ＬＰＮ５と関連付けられた１つ以上のＵＥ４１を含む。
【００２７】
図３におけるようないくつかの実施形態では、ＵＥグループ３９のうちの１つ以上のＵＥ４１が、２つ以上のＬＰＮ５と関連付けられる。これは、ＵＥアップリンクが、２つ以上のノード、すなわち、２つ以上のＬＰＮ５によって受信されるように、ＵＥが重複ＬＰＮアップリンク有効範囲領域１７内に位置する、実施形態による場合であり得る。図３では、２つのＬＰＮアップリンク有効範囲領域１７が、相互に重複し、特定のＵＥ４１は、２つ以上のノード、すなわち、２つ以上のＬＰＮ５によって受信されるアップリンク伝送を有する。図３では、ＵＥグループ３９は、多数のＵＥ４１を含み、２つ以上のＬＰＮ５、すなわち、ＬＰＮ−ＡおよびＬＰＮ−Ｂの両方へのアップリンク伝送３１を含む、１つのＵＥ４１を含む。
【００２８】
ここで、図２に戻ると、図示される実施形態は、２つのＵＥグループ２９を含み、それぞれ、ＬＰＮ５のそれぞれによって処理されるアップリンク伝送を伴うＵＥを有するが、種々の数のＵＥグループ２９およびＬＰＮ５が、他の実施形態では、マクロセル７と関連付けられる。ＬＰＮ５はそれぞれ、種々の実施形態では、多数のＵＥグループ２９および異なる数のＵＥグループ２９と関連付けられてもよい。ＵＥが同一ＰＲＢ上で伝送するように、ＵＥのグループに、同一物理リソース、すなわち、同一物理リソースブロック（ＰＲＢ）が割り当てられると、このＵＥのグループは、１つの個々のＰＤＣＣＨまたはｅＰＤＣＣＨを伴う、そのリソース配分を受信する。ＰＲＢは、３ＧＰＰ３６．２１１セクション５（リリース８）において定義されており、その内容は、参照することによって本明細書に組み込まれる。図２では、各ＬＰＮ５は、それと関連付けられた多数のＵＥグループ２９を含む。いくつかの実施形態では、ＵＥグループ２９のうちの各ＵＥ４１は異なるＬＰＮと関連付けられる。各ＵＥグループ２９は、図２における全３つの図示されるＬＰＮ５と関連付けられたＵＥ４１を有する。
【００２９】
依然として、図２を参照すると、共通制御コマンド３３が、各ＵＥのグループ２９に伝送され、したがって、先行技術の通信プロトコルにおけるように、各ＵＥに個々に通知する代わりに、多くのＵＥ４１に適用可能である同一制御情報を送信する。種々の数のＵＥが、ともにグループ化され、共通制御コマンド３３、本実施形態では、共通ＤＣＩが、本ＵＥグループ２９に伝送される。共通制御コマンド３３は、１つの中心点から送信される。一実施形態では、中心点は、マクロ基地局１等のマクロノードである。他の実施形態では、本中心点は、ＬＰＮ５のうちの１つである。このように、いくつかのＵＥ４１が、ＤＬのために、同一中心ノードによってサービス提供されるが、アップリンクは、複数のノードによって処理される。
【００３０】
アップリンク信号３１は、ＵＥグループ２９のうちのＵＥ４１によって、図示される実施形態のように、関連付けられたＬＰＮ５に、または他の実施形態では（図３参照）、複数のＬＰＮ５に送信される。このように、各ＵＥグループ２９は、ＬＰＮ５のそれぞれ、すなわち、ＬＰＮ−Ａ、ＬＰＮ−Ｂ、およびＬＰＮ−Ｃのそれぞれによって処理される、１つ以上のＵＥ４１を含む。換言すると、このように、各ＵＥグループ２９は、異なるＬＰＮ５によって処理されるＵＥ４１を含む。いくつかの実施形態では、ＵＥグループのうちの各ＵＥ４１は、異なる関連付けられたＬＰＮ５によって処理される、すなわち、ＵＥグループのうちの２つのＵＥ４１は、本実施形態では、同一ＬＰＮ５によって処理されない。ＵＥ４１は、ともにグループ化され、ＵＥグループ２９を形成し、共通制御コマンド３３によって同一制御情報を受信し、ダウンリンク（ＤＬ）リソースを節約する。図２は、１つの共通制御コマンド３３が、マクロ基地局１からＵＥグループ２９の全ＵＥ４１に送信される、実施形態を図示する。
【００３１】
１つの共通制御コマンド３３が、このＵＥのグループ２９に伝送されるため、本開示の種々の実施形態は、例えば、３ＧＰＰ（第３世代パートナーシッププロジェクト）規格の現在のリリース等、スケジューリングが、ＵＥあたりベースで個々に行われる、従来のシステムより優れた利点を提供する。ＰＤＣＣＨは、帯域幅全体にわたって、最初の１〜３つのＯＦＤＭシンボル内に位置する。本開示の有利な側面の１つによると、ＵＥは、それに対して意図されるＰＤＣＣＨのために、あらゆる可能性として考えられる場所を検索する必要はない。複雑性を低減させるために、各ＵＥ４１は、共通空間、次いで、図２に示される共通制御コマンド３３等のＤＣＩ専用エリアを検索する。いくつかの実施形態では、共通エリアは、システム情報をブロードキャストするために使用され、専用エリアは、スケジューリング情報のために使用される。種々の他の実施形態では、共通エリアもまた、スケジューリング情報を含有し、したがって、禁止されない。
【００３２】
スケジューラが、あるリソースをあるＵＥに割り当てるように決定すると、セル無線ネットワーク一時識別子（Ｃ−ＲＮＴＩ）内のそのＵＥに一意の識別子で、または別のグループ識別子を使用して、そのＵＥに意図された共通制御コマンド３３をエンコードする。種々の実施形態では、種々のＲＮＴＩ（無線ネットワーク一時識別子）が、使用される。種々のタイプのＲＮＴＩが、種々のＬＴＥシステム内で使用される。一実施形態では、ＳＩ−ＲＮＴＩ（システム情報無線ネットワーク一時識別子）識別子が、使用され、ＵＥによって共有される。いくつかの実施形態では、ＵＥグループ２９内のＵＥ４１等のＵＥが、共通制御コマンド３３を検索するとき、そのＲＮＴＩ（無線ネットワーク一時識別子）を適用し、メッセージがそれに対して意図されているかどうかを評価する。
【００３３】
本発明と対照的に、従来のノード構成では、ＵＥが同一物理リソースに割り当てられることができる場合でも、多数のＵＥが、貴重な制御チャネルリソース（例えば、ＬＴＥシステムにおけるＰＤＣＣＨ／ｅＰＤＣＣＨ）を使用して、個々にスケジューリングされる。しかしながら、制御情報を各ＵＥに個々に送信するのは、乏しい制御チャネルリソース（例えば、ＬＴＥシステムにおけるＰＤＣＣＨ／ｅＰＤＣＣＨ）の無駄であり、本開示は、共通制御チャネルをＵＥのグループに提供することによって、制御チャネルリソースの経済的使用の利点を提供する、すなわち、多数のＵＥは、個々にスケジューリングされる必要はない。
【００３４】
図４は、本開示の種々の実施形態による、ＵＥのグループをスケジューリングする方法を示す、フロー図であり、以前のシステムおよびプロトコルの非効率性に優る利点を提供する。ステップ１０１では、複数のＵＥが、ともにグループ化される。種々の実施形態では、ともにグループ化されたＵＥは、同一リソース上にスケジューリングされるＵＥである。ともにグループ化されたＵＥは、種々のタイプの電気通信システムと関連付けられた多数のＵＥから選択されてもよい。種々の実施形態では、本グループ化は、ＵＥ位置の場所推定に基づくことができるが、本グループ化は、他の実施形態では、他の要因に基づくこともできる。ステップ１０３では、グループ識別子が、選択されたＵＥのグループに割り当てられる。いくつかの実施形態では、グループ識別子は、Ｇ−ＲＮＴＩ（グループ無線ネットワーク一時識別子）であるが、セル無線ネットワーク一時識別子（Ｃ−ＲＮＴＩ）または他の好適なグループ識別子等の他のグループ識別子が、他の実施形態では、使用される。スケジューリングを行う中心ノード、例えば、いくつかの実施形態では、マクロ基地局１またはＬＰＮ５が、ＵＥをともにグループ化する。本中心ノードは、ＵＥ場所に関する知識を有し、したがって、中心ノードは、各ＵＥのアップリンクが受信されるノードを把握する。このように、中心ノード（例えば、マクロ基地局１）は、ＤＬ伝送のために、ＵＥをともにグループ化可能であり、ＵＥグループのＵＬは、異なるノード、例えば、異なるＬＰＮ５において受信される。ステップ１０５では、選択されたＵＥのグループのうちのＵＥは、ＲＲＣ無線リソース制御信号伝達によって、グループ識別子が通知される。
【００３５】
ステップ１０７「グループ識別子での制御チャネルのエンコード」では、ＵＥグループと関連付けられた制御チャネルが、選択されたＵＥのグループと関連付けられたＧ−ＲＮＴＩまたは他のグループ識別子でエンコードされる。種々の方法および種々のタイプの好適なコードおよび符号化技法が、種々の実施形態では、使用される。ステップ１０９では、共通制御チャネルが、グループ識別子とともに、中心ノードによって、ＵＥのグループに、すなわち、共通制御コマンド３３が、図示される実施形態では、マクロ基地局１から、または他の実施形態では、ＬＰＮ５によって、伝送される。ステップ１０９では、共通制御チャネルは、同時に、ＵＥのグループのうちの各ＵＥに伝送される。このように、単一制御チャネルが、多数のＵＥ、すなわち、ＵＥのグループのうちの各ＵＥに同時に配信される。ステップ１１１では、制御チャネルを伝送するステップは、所望の回数、繰り返される。
【００３６】
したがって、本開示の原理のうちの１つによると、単一制御チャネルが、ＵＥのグループに配信される。制御チャネルは、アップリンクスケジュールグラントをＵＥのグループのうちのＵＥに配信する。
【００３７】
種々の実施形態では、ステップ１０７および１０９は、ステップ１０１、１０３、および１０５が１回行われた後、複数回行われる。このように、制御チャネルは、ステップ１０１−１０５において識別された同一ＵＥのグループによって、複数回受信される（ステップ１０７−１０９）。
【００３８】
種々の他の実施形態では、ステップ１０１−１０９のシーケンスはそれぞれ、複数回行われる。いくつかの実施形態では、ステップ１０１−１０９は、連続して複数回行われる。種々の実施形態では、選択されたＵＥのグループは、ステップが繰り返されるとき、２回以上変更される。他の実施形態では、選択されたＵＥのグループは、同一のままである。より具体的には、ステップ１０１−１０９が、複数回行われ、１回以上の回数、ステップ１０１が行われる、すなわち、繰り返されるとき、ＵＥは、異なってグループ化される。各ＵＥグループは、マクロセルと関連付けられた大ＵＥ集合からの複数のＵＥを含んでもよい。異なってグループ化されたＵＥは、ＬＰＮのうちの１つまたは全てと関連付けられることができる。
【００３９】
前述の説明は、単に、本開示の原理を図示する。したがって、当業者は本明細書に明示的に説明または図示されないが、本開示の原理を具現化し、その精神および範囲内に含まれる、種々の配列を考案可能であろうことを理解されたい。さらに、本明細書に列挙される全実施例および条件付き用語は、原則として、教育学的目的のためと、読者が、本技術分野を促進するために発明者らによって寄与される本開示の原理および概念を理解するのを補助するためだけに明示的に意図され、そのような具体的に列挙された実施例および条件に限定されないものと解釈されたい。
【００４０】
本発明の１つ以上の実施形態が前述されたが、それらは、一例のみとして提示され、限定ではないことを理解されたい。同様に、種々の図または略図は、本開示のための例示的構造または他の構成を描写し、本開示内に含まれ得る特徴および機能性を理解するのを補助するために行われるものであり得る。本開示は、図示される例示的構造または構成に制限されず、種々の代替構造および構成を使用して実装されることができる。
【００４１】
本開示に説明されるステップまたは機能のうちの１つ以上は、適切に構成されたモジュールによって行われてもよい。用語「モジュール」は、本明細書で使用されるように、本明細書に説明される関連付けられた機能を行うためのハードウェア、ファームウェア、ハードウェアによって実行されるソフトウェア、および／またはこれらの要素の任意の組み合わせを指すことができる。加えて、議論の目的のために、種々のモジュールは、離散モジュールであることができる。しかしながら、当業者に明白となるであろうように、２つ以上のモジュールが、本発明の実施形態に従って、関連付けられた機能を行う単一モジュールを形成するように組み合わせられてもよい。
【００４２】
加えて、本書に説明される機能のうちの１つ以上は、概して、メモリ記憶デバイスまたは記憶ユニット等の媒体を指すために本明細書で使用される、「コンピュータプログラム製品」、「非一過性コンピュータ可読媒体」、および同等物内に記憶される、コンピュータプログラムコードを用いて行われてもよい。これらおよび他の形態のコンピュータ可読媒体は、プロセッサに規定された動作を行われるためのプロセッサによる使用のための１つ以上の命令を記憶する際に伴われてもよい。概して、「コンピュータプログラムコード」（コンピュータプログラムの形態または他のグループ化でグループ化され得る）と称されるそのような命令は、実行されると、コンピューティングシステムが所望の動作を行うことを可能にする。
【００４３】
明確目的のために、前述の説明は、異なる機能ユニットおよび／またはプロセッサを参照して、本発明の種々の実施例および実施形態を説明したことを理解されるであろう。しかしながら、異なる機能ユニット、プロセッサ、またはドメイン間の任意の好適な機能性の分配が、本発明から逸脱することなく、使用されてもよいことが明白であろう。例えば、別個のユニット、プロセッサ、またはコントローラによって行われるように図示される機能性は、同一ユニット、プロセッサ、またはコントローラによって行われてもよい。故に、具体的機能ユニットの言及は、厳密な論理または物理構造あるいは編成を示すのではなく、説明される機能性を提供するための好適な手段の言及にすぎないと見なされる。
【００４４】
加えて、当業者に明白となるであろうように、本開示を実装するための多くの代替方法および技法が、過度な実験を伴わずに実現されることができる。
【図１】
0006370367.tif 000002
【図２】
0006370367.tif 000003
【図３】
0006370367.tif 000004
【図４】
0006370367.tif 000005